(57)【要約】【課題】大規模地震の発生時に、複数のビルが密集する地域で救援活動を行う地方自治体や消防局等に対し、救援活動を行う為の十分な情報を提供する。【解決手段】通信システムは、端末に対応する識別子と、前記端末の所在高度を含む位置情報とを少なくとも１つ記憶し、所定の信号が入力されると、記憶する前記識別子と前記位置情報を用いて、所定のビルの所定の高度に所在する前記端末の数を求め、前記所定のビル及び前記所定の高度毎に前記端末の数を表示する。【選択図】      図１６
2014241551.tif 000002
【特許請求の範囲】
【請求項１】
所定時間以内に入力された端末に対応する端末識別子および高度を含む位置情報から所定のビルの所定の高度に所在する前記端末の数を求め、前記所定のビル及び前記所定の高度に対応する識別子と対応づけて出力する、
ことを特徴とする制御装置。
【請求項２】
前記所定のビルの前記所定の高度に所在する前記端末の数を求めるために、前記位置情報から対応する前記所定のビルと前記所定の高度を求め、前記所定のビルと前記所定の高度を前記位置情報と前記端末識別子に関連づけ、前記所定のビルの前記所定の高度毎に、関連づいている前記端末識別子の数を算出する、
ことを特徴とする請求項１に記載の制御装置。
【請求項３】
前記端末における加速度を示す加速度情報が入力されると、前記所定のビルについて、前記所定の高度毎に揺れの大きさを前記加速度情報から求め、出力する、
ことを特徴とする請求項１乃至２のいずれか１項に記載の制御装置。
【請求項４】
コアネットワーク装置、表示端末、および請求項１乃至３のいずれか１項に記載の制御装置を備える通信システムであって、
前記コアネットワーク装置は、携帯端末から入力された前記携帯端末に対応する前記端末識別子と前記高度を含む位置情報とを関連づけて記憶し、所定の信号が入力されると、記憶する前記端末識別子と前記位置情報を前記制御装置に出力し、
前記表示端末は、前記所定のビル及び所定の高度に対応する識別子と、前記携帯端末の数とが前記制御装置から入力されると、前記所定の高度に対応する識別子毎に、前記携帯端末の数を表示する、
ことを特徴とする通信システム。
【請求項５】
前記携帯端末は、ＧＰＳ（Ｇｌｏｂａｌ  Ｐｏｓｉｔｉｏｎｉｎｇ  Ｓｙｓｔｅｍ）機能を備え、所定のタイミングになると、前記ＧＰＳ機能によって自身の所在高度を含む位置情報を測定し、自身に対応する端末識別子と共に前記位置情報を出力する、
ことを特徴とする請求項４に記載の通信システム。
【請求項６】
前記携帯端末は、ＩＭＥＳ（Ｉｎｄｏｏｒ  Ｍｅｓｓａｇｉｎｇ  Ｓｙｓｔｅｍ）方式を用いたＧＰＳ機能を備え、前記ＩＭＥＳ方式を用いたＧＰＳ機能によって自身の所在階数を含む前記位置情報を測定する、
ことを特徴とする請求項５に記載の通信システム。
【請求項７】
前記携帯端末は、加速度センサを備え、前記加速度センサによって測定された加速度を示す情報、すなわち加速度情報を前記位置情報と共に出力する、
ことを特徴とする請求項５乃至６のいずれか１項に記載の通信システム。
【請求項８】
前記コアネットワーク装置は、入力された前記加速度情報を前記端末識別子と関連づけて記憶し、前記所定の信号が入力されると、記憶する前記加速度情報を出力する、
ことを特徴とする請求項７に記載の通信システム。
【請求項９】
端末に対応する識別子と、前記端末の所在高度を含む位置情報とを少なくとも１つ記憶し、所定の信号が入力されると、記憶する前記識別子と前記位置情報を用いて、所定のビルの所定の高度に所在する前記端末の数を求め、前記所定のビル及び前記所定の高度毎に前記端末の数を表示する、
ことを特徴とする情報提供方法。
【請求項１０】
前記端末における加速度情報を記憶し、所定の信号が入力されると、記憶する前記識別子、前記位置情報、および前記加速度情報を用いて、所定のビルの所定の高度における揺れの大きさを求め、前記所定のビルの前記所定の高度毎に前記揺れの大きさを表示する、
ことを特徴とする請求項９の情報提供方法。
【発明の詳細な説明】
【技術分野】
【０００１】
本発明は、制御装置、通信システム、情報提供方法に関し、特に、災害が発生したときに、救援従事者に被災地の情報を提供する制御装置、通信システム、情報提供方法に関する。
【背景技術】
【０００２】
一般的に、地震等の災害が発生した場合、被災地の状況を迅速に把握するための通信システムが知られている。被災地の状況を迅速に把握するための通信システムとしては、例えば、以下の特許文献１が開示されている。
【０００３】
特許文献１の通信システムは、携帯電話事業者ネットワークと消防・防災無線網を備える。携帯電話事業者ネットワークは、携帯電話の通信網であって、携帯電話と、制御局と、通信インフラ監視サーバと、位置登録履歴ＤＢ（データベース）とを備える。また、消防・防災無線網は、被災者動態監視サーバと、固定端末を備える。地震等の災害発生前、携帯電話事業者ネットワークの制御局は、携帯端末の位置情報を位置登録履歴ＤＢに登録しておく。携帯電話事業者ネットワークの通信インフラ監視サーバは、地震等の災害が発生すると、位置登録履歴ＤＢから携帯端末の位置情報を取得し、消防・防災無線網の被災者動態監視サーバに通知する。被災者動態監視サーバは、通信インフラ監視サーバから通知された携帯端末の位置情報を電子地図上にマッピングし、ＧＩＳ（Ｇｅｏｇｒａｐｈｉｃ  Ｉｎｆｏｒｍａｔｉｏｎ  Ｓｙｓｔｅｍ）データとして固定端末へ送信する。固定端末は、入力されたＧＩＳデータを用いて被災者の大まかな分布状況を自身に備わる表示部に表示する。
【０００４】
上述の構成や動作の通り、特許文献１の通信システムは、災害発生時、被災者が持つ携帯端末の位置を救援活動の指揮に当たる地方自治体や消防局などに提供する。その結果、地方自治体や消防局等は、被災者の所在を短時間で把握し、迅速な救助活動を行うことができる。
【先行技術文献】
【特許文献】
【０００５】
【特許文献１】特開２０１０−１５７８８１号公報
【発明の概要】
【発明が解決しようとする課題】
【０００６】
しかし、特許文献１の通信システムは、複数のビルが密集する地域で大規模な地震が発生し、その地域で救援活動を行う地方自治体や消防局等（以下、「救援従事者」という）に対し、救援活動を行う為の十分な情報を提供ができていないという課題があった。なぜなら、特許文献１の通信システムは、単に電子地図上に携帯電話の位置を表示するだけで、それら携帯電話がビルのどの階層に分布しているのかを救援従事者に提供しないからである。その結果、救援従事者は、複数のビルが密集して建っている地域で救助活動を行う場合、ビルの中にいる被災者の所在を短時間に把握できず、迅速な救助活動を行うことができるとは限らなかった。
【０００７】
本発明は、上記課題を解決する制御装置、通信システム、情報提供方法を提供することを目的とする。
【課題を解決するための手段】
【０００８】
上記目的を達成するために、本発明の制御装置は、所定時間以内に入力された端末に対応する端末識別子および高度を含む位置情報から所定のビルの所定の高度に所在する前記端末の数を求め、前記所定のビル及び前記所定の高度に対応する識別子と対応づけて出力する。
【０００９】
上記目的を達成するために、本発明の通信システムは、コアネットワーク装置、表示端末、および所定時間以内に入力された携帯端末に対応する端末識別子および高度を含む位置情報から所定のビルの所定の高度に所在する前記携帯端末の数を求め、前記所定のビル及び前記所定の高度に対応する識別子と対応づけて出力する制御装置を備える通信システムであって、前記コアネットワーク装置は、携帯端末から入力された前記携帯端末に対応する前記端末識別子と前記高度を含む位置情報とを関連づけて記憶し、所定の信号が入力されると、記憶する前記端末識別子と前記位置情報を前記制御装置に出力し、前記表示端末は、前記所定のビル及び所定の高度に対応する識別子と、前記携帯端末の数とが前記制御装置から入力されると、前記所定の高度に対応する識別子毎に、前記携帯端末の数を表示する。
【００１０】
上記目的を達成するために、本発明の情報提供方法は、端末に対応する識別子と、前記端末の所在高度を含む位置情報とを少なくとも１つ記憶し、所定の信号が入力されると、記憶する前記識別子と前記位置情報を用いて、所定のビルの所定の高度に所在する前記端末の数を求め、前記所定のビル及び前記所定の高度毎に前記端末の数を表示する。
【発明の効果】
【００１１】
本発明によれば、通信システムは、複数のビルが密集するエリアで救援活動を行う救援従事者に対し、各ビルの携帯電話の分布状況を階層毎に提供することができる。
【００１２】
その結果、救援従事者は、ビルの中にいる被災者の所在を短時間で把握し、迅速な救助活動を行うことができる。
【図面の簡単な説明】
【００１３】
【図１】本発明の第１の実施の形態における通信システムの構成例を示す図である。
【図２】本発明の第１の実施の形態における通信システムに備わる各装置の機能部を示す図である。
【図３】本発明の第１の実施の形態における通信システムに備わるコアネットワーク装置１６において携帯電話を示す識別子毎に記憶される被災情報の一例を示す図である。
【図４】本発明の第１の実施の形態における通信システムの動作（地震が発生する前の動作）を説明する為の図である。
【図５】本発明の第１の実施の形態における通信システムの動作（地震が発生した後の動作）を説明する為の図である。
【図６】本発明の第１の実施の形態における通信システムに備わる災害情報処理装置１７に記憶される被災情報群Ｂの一例を示す図である。
【図７】本発明の第１の実施の形態における通信システムに備わる災害情報処理装置１７に記憶される被災情報群Ｃの一例を示す図である。
【図８】本発明の第１の実施の形態における通信システムに備わる災害情報処理装置１７に記憶される被災情報群Ｄの一例を示す図である。
【図９】本発明の第１の実施の形態における通信システムに備わる災害情報処理装置１７が出力する被災地情報の一例を示す図である。
【図１０】本発明の第１の実施の形態における通信システムに備わる支援情報端末の表示例を示す図である。
【図１１】本発明の第２の実施の形態における通信システムの構成例を示す図である。
【図１２】本発明の第２の実施の形態における通信システムに備わる各装置の機能部を示す図である。
【図１３】本発明の第２の実施の形態における通信システムの動作（地震発生前後で共通する動作）を説明する為の図である。
【図１４】本発明の第２の実施の形態における通信システムの動作（地震が発生した後の動作）を説明する為の図である。
【図１５】本発明の第２の実施の形態における通信システムに備わる災害情報処理装置３００に記憶される被災情報群Ｂの一例を示す図である。
【図１６】本発明の第３の実施の形態における通信システムの構成例を示す図である。
【発明を実施するための形態】
【００１４】
次に本発明の実施形態について、図面を参照して詳細に説明する。
【００１５】
［第１の実施の形態］
本発明の第１の実施の形態における通信システムは、地震が発生した場合、指定されたエリア内にある各ビルについて、階層毎に携帯電話の数や揺れの大きさを消防・救急組織に提供するシステムである。以下に、本実施形態における通信システムの構成や機能、動作について説明する。
【００１６】
［構成の説明］
まず、本発明の第１の実施の形態における通信システムの構成と機能について説明する。
【００１７】
（１）本発明の第１の実施の形態における通信システムの構成
図１は、本発明の第１の実施の形態における通信システムの構成例を示す図である。図１に示されるように、本実施形態の通信システムは、モバイルネットワーク１と、消防ネットワーク２と、通信キャリアネットワーク３とを備える。モバイルネットワーク１と消防ネットワーク２は、専用線で構成された通信キャリアネットワーク３を介して接続される。
【００１８】
モバイルネットワーク１は、図１に示されるように、携帯電話１０、１１と、基地局１５とを備える。さらに、モバイルネットワーク１は、コアネットワーク装置１６と、災害情報処理装置１７とを備える。なお、図１では、本実施形態の通信システムは、携帯電話を２台備えているが、この限りではない。本実施形態の通信システムは、携帯電話を３台以上備えてもよい。さらに本実施形態の通信システムは、基地局を１台備えているが、この限りではない。さらに本実施形態の通信システムは、基地局を２台以上備えてもよい。
【００１９】
基地局１５は、配下のセルＡに在圏する携帯電話１０、１１と無線回線で接続される。また、コアネットワーク装置１６は、図示していないが、基地局１５と災害情報処理装置１７に有線回線で接続される。
【００２０】
一方、消防ネットワーク２は、消防局等、救援従事者が管理するネットワークであって、救助支援処理装置２０と、支援情報端末２１とを備える。救助支援処理装置２０は、支援情報端末２１と消防無線を介し、無線回線で接続される。さらに、救助支援処理装置２０は、通信キャリアネットワーク３を介して、災害情報処理装置１７と接続される。
【００２１】
（２）本発明の第１の実施形態における通信システムに備わる各装置の構成
図２は、本発明の第１の実施の形態における通信システムに備わる各装置の機能部を示す図である。
【００２２】
災害情報処理装置１７は、図２に示されるように、通信制御部１７０と、データ処理部１７１とを備える。通信制御部１７０は、コアネットワーク装置１６と救助支援処理装置２０に接続される。また、通信制御部１７０は、データ処理部１７１と接続される。
【００２３】
支援情報端末２１は、通信制御部２１０と、データ処理部２１１と、表示手段２１２とを備える。通信制御部２１０は、図示していないが、救助支援処理装置２０に接続される。データ処理部２１１は、通信制御部２１０と表示部２１２に接続される。
【００２４】
（３）本発明の第１の実施形態における通信システムに備わる各機能部の機能
次に第１の実施の形態における通信システムに備わる各機能部の機能について説明する。図３は、本発明の第１の実施の形態における通信システムに備わるコアネットワーク装置１６において携帯電話を示す識別子毎に記憶される被災情報の一例を示す図である。
【００２５】
まず、携帯電話１０、１１は、一般的なモーションセンサ機能と計時機能を備える。携帯電話１０、１１は、所定のタイミングになると、一般的なモーションセンサ機能によって、地面に水平に縦、横（南北、東西方向）と上下方向の３方向の加速度を測定し、さらに計時機能によって、時刻を測定する。所定のタイミングは、一定間隔毎のタイミングであり、モバイルネットワーク１を運営する事業者によって携帯電話１０、１１に設定される。上述の所定のタイミングは、以下、「所定のタイミング１」という。携帯電話１０、１１は、測定した３方向の加速度がいずれも所定値以上かを判定する。携帯電話１０、１１は、測定した３方向の加速度がいずれも所定値以上である場合には、３方向の加速度を合成し、測定した時刻と共に、合成した加速度を加速度情報として記憶する。携帯電話１０、１１は、３方向の加速度の少なくとも１つが所定値より小さい場合には、地震が発生していないものと認識し、測定した時刻と共に、加速度０を加速度情報として記憶する。
【００２６】
さらに、携帯電話１０、１１は、一般的なＧＰＳ（Ｇｌｏｂａｌ  Ｐｏｓｉｔｉｏｎｉｎｇ  Ｓｙｓｔｅｍ）機能を備える。携帯電話１０、１１は、所定のタイミングになると、ＧＰＳ機能により自身の位置、すなわち経度や緯度、高さを測定する。所定のタイミングは、モバイルネットワーク１を運営する事業者によって携帯電話１０、１１に設定される。ここでの所定のタイミングは、以下、「所定のタイミング２」という。所定のタイミング２は、一定間隔毎のタイミングであり、その間隔は、上述の所定のタイミング１の間隔よりも長い。さらに、携帯電話１０、１１は、一般的な携帯電話機能を備え、自身の位置、すなわち経度や緯度、高さを測定すると、位置登録を行う。具体的には、携帯電話１０、１１は、自身の経度や緯度、高さを測定すると、自身を示す識別子と、自身が在圏するセルに対応する識別子（以下、「位置登録情報」という）を、無線信号として出力する。なお、携帯電話１０、１１は、位置登録情報を出力する際、測定した経度、緯度、及び高さを示す情報、記憶した加速度情報も併せて出力する。上述の自身を示す識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよい。
【００２７】
ここで、上述の位置登録情報（すなわち、携帯電話を示す識別子と、携帯電話が在圏するセルに対応する識別子）と、経度や緯度、高さを示す情報と、加速度情報は、以下、「被災情報」というものとする。
【００２８】
次に、基地局１５は、一般的な基地局であり、受信した無線信号から携帯電話１０、１１の被災情報を抽出し、出力する。
【００２９】
コアネットワーク装置１６は、入力された被災情報を、図３に示されるように、携帯電話を示す識別子毎に関連づけて記憶する。携帯電話を示す識別子毎に関連づけて記憶した被災情報は、以下、「被災情報群」という。また、コアネットワーク装置１６は、セルを示す信号（以下、「セル信号」という）が入力されると、セル信号が示すセルに対応する識別子に関連づけられている被災情報を、被災情報群から抽出し、出力する。例えば、コアネットワーク装置１６が記憶する被災情報群が図３の被災情報群であった場合、コアネットワーク装置１６は、セルＡを示す信号が入力されると、セルＡに対応する識別子に関連づけられている携帯電話１０、１１の被災情報を電気信号として出力する。
【００３０】
災害情報処理装置１７の通信制御部１７０は、入力されたセル信号を出力する。災害情報処理装置１７の通信制御部１７０は、セル信号を出力した結果、電気信号が入力されると、電気信号から各携帯電話の被災情報を抽出し、そのタイミングから所定時間経過後に、抽出した被災情報をデータ処理部１７１に出力する。なお、災害情報処理装置１７の通信制御部１７０は、所定時間が経過するまでに、新たに電気信号が入力されると、入力された電気信号から被災情報を抽出し、その被災情報を、すでに抽出していた被災情報と併せてデータ処理部１７１に出力する。上述の所定時間は、本実施形態の通信システムの設置者によって通信制御部１７０に設定される。
災害情報処理装置１７のデータ処理部１７１は、入力された被災情報を基に、各携帯電話がどのビルに存在するのかを分析する。具体的な分析方法については、［動作の説明］に後述する。さらに、災害情報処理装置１７のデータ処理部１７１は、入力された被災情報を基に、各ビルにどのくらいの携帯電話がいるのか、その数を算出する。各ビルに所在する携帯電話の数の具体的な算出方法は、［動作の説明］に後述する。さらに、災害情報処理装置１７のデータ処理部１７１は、入力された被災情報を基に、各ビルの低層、中層、高層、超高層毎に、どのくらいの携帯電話がいるのか、その数を算出する。各階層に所在する携帯電話の数の具体的な算出方法も［動作の説明］に後述する。また、災害情報処理装置１７のデータ処理部１７１は、入力された被災情報を基に、各ビルの低層、中層、高層、超高層毎に揺れの大きさを算出する。各階層における揺れの大きさの具体的な算出方法は、［動作の説明］に後述するものとする。災害情報処理装置１７のデータ処理部１７１は、算出した各ビルに所在する携帯電話の数、各ビルの各階層に所在する携帯電話の数、各ビルの各階層における揺れの大きさを通信制御部１７０に出力する。なお、データ処理部１７１は、各ビルに所在する携帯電話の数、各ビルの各階層に所在する携帯電話の数、各ビルの各階層における揺れの大きさが、どのビルのどの階層のものかが分かるよう、ビルに対応する識別子、階層に対応する識別子も含めて出力する。ここで、上述の各ビルの携帯電話の数、各ビルの階層毎の携帯電話の数、各ビルの階層毎の揺れの大きさ、ビルに対応する識別子、階層に対応する識別子は、以下、「被災地情報」という。また、ビルに対応する識別子、階層に対応する識別子は、以下「ビル識別子」、「階層識別子」という。災害情報処理装置１７の通信制御部１７０は、データ処理部１７１から入力された被災地情報を電気信号として出力する。
【００３１】
救助支援処理装置２０は、一般的な消防無線の無線信号を受信すると、受信した無線信号からセル信号を抽出し、出力する。救助支援処理装置２０は、入力された電気信号から被災地情報を抽出し、抽出した被災地情報を消防無線の無線信号として出力する。
【００３２】
支援情報端末２１の表示手段２１２は、本実施形態の通信システムの設置者によって予め登録された電子地図を表示する。また、支援情報端末２１の表示手段２１２は、一般的なタッチセンサ機能を有する。支援情報端末の表示手段２１２は、救援従事者等のユーザによって電子地図上が押下されると、一般的なタッチセンサ機能によって、押下された場所に対応する信号（以下、「情報要求信号」という）を支援情報端末２１のデータ処理部２１１に出力する。支援情報端末２１のデータ処理部２１１は、表示手段２１２から情報要求信号が入力されると、その信号が示す場所に対応するセルを変換テーブルから求め、求めたセルを示す信号、すなわちセル信号を通信制御部２１０に出力する。上述の変換テーブルは、電子地図上の各場所と基地局配下のセルが対応づけられたテーブルであり、本実施形態の通信システムの設置者によって、予めデータ処理部２１１に設定されている。支援情報端末２１の通信制御部２１０は、データ処理部２１１から入力されたセルを示す信号を、一般的な消防無線の無線信号として出力する。支援情報端末２１の通信制御部２１０は、セルを示す信号を出力した後、入力される無線信号から被災地情報を抽出し、表示手段２１２に出力する。表示手段２１２は、被災地情報が通信制御部２１０から入力されると、被災地情報から各階層に所在する携帯電話の数と、それに対応づけられているビル識別子と階層識別子を全て抽出し、ビル識別子と階層識別子毎に、携帯電話の数を表示する。さらに、表示手段２１２は、被災地情報から揺れの大きさと、それに対応づけられているビル識別子と階層識別子を全て抽出し、ビル識別子と階層識別子毎に、揺れの大きさを表示する。
【００３３】
［動作の説明］
本実施形態の通信システムの動作を説明する。なお、説明は、地震が発生する前後に分けて説明する。
【００３４】
（１）地震が発生する前の本実施形態の通信システムの動作
図４は、本発明の第１の実施の形態における通信システムの動作（地震が発生する前の動作）を説明する為の図である。地震が発生する前は、携帯電話１０、１１、基地局１５、およびコアネットワーク装置１６が動作する。
【００３５】
まず、携帯電話１０、１１は、図４に示されるように、所定のタイミング１になるのを待つ（Ｓ１）。具体的には、携帯電話１０、１１は、計時機能を有し、計時機能で時刻を計測し、計測した時刻が所定のタイミング１であるかを繰り返し判定してもよい。携帯電話１０、１１は、計測した時刻が所定のタイミング１であれば、所定のタイミング１になったとする。上述の所定のタイミング１は、一定間隔毎のタイミングであり、モバイルネットワーク１を運営する事業者によって携帯電話１０、１１に設定される。
【００３６】
次に、携帯電話１０、１１は、所定のタイミング１になると、一般的なモーションセンサ機能によって、地面に水平に縦、横（南北、東西方向）と上下方向の３方向の加速度を測定し、さらに計時機能によって、時刻を測定する（Ｓ２）。
【００３７】
次に、携帯電話１０、１１は、Ｓ２で測定した３方向の加速度がいずれも所定値以上かを判定する（Ｓ３）。
【００３８】
次に、携帯電話１０、１１は、３方向の加速度の少なくとも１つが所定値より小さい場合（Ｓ３でＮｏの場合）には、地震が発生していないものと認識し、Ｓ２で測定した時刻と共に、加速度０を加速度情報として記憶する（Ｓ４）。
【００３９】
なお、測定した３方向の加速度がいずれも所定値以上である場合の携帯電話１０、１１の動作については、「（２）地震等発生以降の本実施形態の通信システムの動作」に後述する。
【００４０】
次に、携帯電話１０、１１は、現在が所定のタイミング２であるかを判定する（Ｓ５）。具体的には、携帯電話１０、１１は、計時機能で時刻を計測し、計測した時刻が所定のタイミング２であるかを判定する。上述の所定のタイミング２は、一定間隔毎のタイミングであり、その間隔は、上述の所定のタイミング１の間隔よりも長い時間である。所定のタイミング２は、モバイルネットワーク１を運営する事業者によって携帯電話１０、１１に設定される。
【００４１】
次に、携帯電話１０、１１は、現在が所定のタイミング２であると判定した場合（Ｓ５でＹｅｓの場合）には、ＧＰＳ機能にて自身の位置、すなわち自身の経度や緯度、高さを測定する（Ｓ６）。
【００４２】
なお、携帯電話１０、１１は、現在が所定のタイミング２でないと判定した場合（Ｓ５でＮｏの場合）には、上述のＳ１に戻り、上述のＳ１〜Ｓ５を繰り返す。
【００４３】
次に、携帯電話１０、１１は、自身の位置、すなわち経度や緯度、高さを測定すると、一般的な携帯電話機能によって、位置登録を行う。具体的には、携帯電話１０、１１は、位置登録情報、すなわち自身を示す識別子と、自身が在圏するセルに対応する識別子（以下、「位置登録情報」という）とを無線信号として基地局１５に出力する。さらに、携帯電話１０、１１は、位置登録情報を出力する際、測定した経度、緯度、及び高さを示す情報、記憶した加速度情報も併せて無線信号として出力する（Ｓ７）。
【００４４】
ここで、上述の［構成の説明］にも記載したが、上述の位置登録情報（すなわち、携帯電話を示す識別子と、携帯電話が在圏するセルに対応する識別子）と、経度や緯度、高さを示す情報と、加速度情報は、以下、「被災情報」というものとする。携帯電話１０、１１は、上述のＳ７により、被災情報を無線信号として基地局１５に出力する。
【００４５】
次に、基地局１５は、受信した無線信号から携帯電話１０、１１の被災情報を抽出し、コアネットワーク装置１６に出力する（Ｓ８）。
【００４６】
次に、コアネットワーク装置１６は、基地局１５から入力された携帯電話１０、１１の被災情報を、図３に示されるように、携帯電話を示す識別子毎に関連づけ、被災情報群として記憶する（Ｓ９）。
【００４７】
なお、コアネットワーク装置１６は、被災情報を記憶する際、被災情報に含まれる携帯電話を示す識別子と同じ携帯電話を示す識別子をすでに記憶していたときには、その識別子に関連づけて記憶している情報を、入力された被災情報の各情報で上書きして記憶する。すなわちコアネットワーク装置１６は、被災情報群の被災情報を、入力された被災情報で更新する。
【００４８】
また、コアネットワーク装置１６は、Ｓ９の後、被災情報群の各被災情報のうち、所定時間前に記憶した被災情報については被災情報群から削除してもよい。具体的には、コアネットワーク装置１６は、被災情報群の被災情報毎に加速度情報の時刻を確認し、所定時間以上前の時刻であれば、その時刻を含む被災情報については、被災情報群から削除してもよい。所定時間は、本実施形態のモバイルネットワーク１を運営する事業者によって、コアネットワーク装置１６に設定される。
【００４９】
（２）地震発生後の本実施形態の通信システムの動作
図５は、本発明の第１の実施の形態における通信システムの動作（地震が発生した後の動作）を説明する為の図である。また、図６は、本発明の第１の実施の形態における通信システムに備わる災害情報処理装置１７に記憶される被災情報群Ｂの一例を示す図である。さらに、図７は、本発明の第１の実施の形態における通信システムに備わる災害情報処理装置１７に記憶される被災情報群Ｃの一例を示す図である。図８は、本発明の第１の実施の形態における通信システムに備わる災害情報処理装置１７に記憶される被災情報群Ｄの一例を示す図である。図９は、本発明の第１の実施の形態における通信システムに備わる災害情報処理装置１７が出力する被災地情報の一例を示す図である。図１０は、本発明の第１の実施の形態における通信システムに備わる支援情報端末の表示例を示す図である。図５〜１０を用いて、地震等発生後の本実施形態の通信システムの動作を説明する。
【００５０】
（２−１）携帯電話１０、１１、基地局１５、およびコアネットワーク装置１６の動作
まず、携帯電話１０、１１は、上述のＳ１〜Ｓ７を実施するが、地震の発生により、３方向の加速度がいずれも所定値以上である場合（Ｓ３でＹｅｓの場合）には、それらを合成し、合成した加速度をＳ１で測定した時刻と共に加速度情報として記憶する（Ｓ４Ｂ）。なお、上述の３方向の加速度を合成するとは、３方向の加速度の二乗和平方根値を算出することであってもよい。
【００５１】
また、基地局１５およびコアネットワーク装置１６の動作については、地震が発生する前と変わりがない。すなわち、コアネットワーク装置１６は、携帯電話１０、１１の被災情報が入力される度に、被災情報群における携帯電話１０、１１の被災情報を更新する。
【００５２】
（２−２）災害情報処理装置１７、救助支援処理装置２０、及び支援情報端末２１等の動作
地震発生以降、救援従事者、例えば、消防・救急部隊は、高層ビル群が立ち並ぶ被災地で救援活動を行うとする。このとき、救援従事者は、支援情報端末の表示手段２１２に表示される電子地図上において、救援活動を行う場所を押下する。
【００５３】
支援情報端末の表示手段２１２は、救援従事者によって電子地図上が押下されると、一般的なタッチセンサ機能によって、押下された場所に対応する信号、すなわち情報要求信号を、図５に示されるように支援情報端末２１のデータ処理部２１１に出力する（Ｓ１０）。
【００５４】
次に、支援情報端末２１のデータ処理部２１１は、表示手段２１２から情報要求信号が入力されると、その信号が示す場所に対応するセルを変換テーブルから求め、求めたセルを示す信号、すなわちセル信号を通信制御部２１０に出力する（Ｓ１１）。
【００５５】
上述の変換テーブルは、電子地図上の各場所と基地局配下のセルとが対応づけられたテーブルであり、本実施形態の通信システムの設置者によって、予めデータ処理部２１１に設定されている。ここでは、支援情報端末のデータ処理部２１１は、基地局１５配下のセルＡを示すセル信号を通信制御部２１０に出力したものとして説明を続ける。
【００５６】
次に、支援情報端末２１の通信制御部２１０は、データ処理部２１１から入力されたセルを示す信号を、一般的な消防無線の無線信号として救助支援処理装置２０に出力する（Ｓ１２）。
【００５７】
次に、救助支援処理装置２０は、一般的な消防無線の無線信号を受信すると、受信した無線信号からセル信号を抽出し、セル信号を災害情報処理装置１７の通信制御部１７０に出力する（Ｓ１３）。
【００５８】
次に、災害情報処理装置１７の通信制御部１７０は、救助支援処理装置２０からセル信号が入力されると、その信号をコアネットワーク装置１６に出力する（Ｓ１４）。
【００５９】
次に、コアネットワーク装置１６は、通信制御部１７０からセル信号が入力されると、セル信号が示すセルに対応する識別子に関連づけられている被災情報を被災情報群から抽出し、災害情報処理装置１７の通信制御部１７０に電気信号として出力する（Ｓ１５）。
【００６０】
例えば、被災情報群が図３に示される被災情報群であった場合、コアネットワーク装置１６は、セルＡを示すセル信号が入力されると、セルＡに対応する識別子に関連づけられている携帯電話１０、１１の被災情報を抽出し、通信制御部１７０に出力する。なお、コアネットワーク装置１６は、抽出した携帯電話１０、１１の被災情報を一度に通信制御部１７０に出力してもよいし、携帯電話１０、１１毎に２回に分けて通信制御部１７０に出力してもよい。
【００６１】
次に、災害情報処理装置１７の通信制御部１７０は、電気信号が入力されると、その電気信号から被災情報を抽出し、そのタイミングから所定時間経過後に、抽出した被災情報をデータ処理部１７１に出力する（Ｓ１６）。なお、災害情報処理装置１７の通信制御部１７０は、所定時間が経過するまでに、新たに電気信号が入力されると、入力された電気信号から被災情報を抽出し、その被災情報を、すでに抽出していた被災情報と併せてデータ処理部１７１に出力する。上述の所定時間は、本実施形態の通信システムの設置者によって通信制御部１７０に設定される。本実施形態の通信システムの設置者は、Ｓ１５で出力された被災情報を全て受信するように上述の所定時間を設定することができる。
【００６２】
次に、データ処理部１７１は、通信制御部１７０から各携帯電話の被災情報が入力されると、入力された被災情報を基に、各携帯電話がどのビルに存在するのかを分析する（Ｓ１７）。
【００６３】
具体的には、災害情報処理装置１７のデータ処理部１７１は、入力された被災情報毎に以下の（Ｉ）〜（ＩＩＩ）を実施する。なお、データ処理部１７１には、予め本実施形態の通信システムの設置者により、緯度、経度、及びビルに対応する識別子、すなわちビル識別子が関連づけられて設定されているものとする。
【００６４】
（Ｉ）まず、データ処理部１７１は、入力された被災情報に含まれる緯度、経度と最も近い緯度と経度を、自身に設定されている緯度と経度の中から求める。
【００６５】
（ＩＩ）次に、データ処理部１７１は、（Ｉ）で求めた緯度と経度に関連づけられているビル識別子を求める。
【００６６】
（ＩＩＩ）データ処理部１７１は、図６に示されるように、被災情報にビル識別子を関連づけて記憶する。ビル識別子が関連づけられた被災情報は、以下、「被災情報群Ｂ」という。
【００６７】
次に、災害情報処理装置１７のデータ処理部１７１は、各ビルにどのくらいの携帯電話がいるのか、その数を算出する（Ｓ１８）。
【００６８】
具体的には、データ処理部１７１は、記憶する被災情報群Ｂを読み出し、被災情報群Ｂに含まれるビル識別子を抽出する。データ処理部１７１は、抽出したビル識別子毎に、それに関連づけられている携帯電話を示す識別子の数を算出する。例えば、被災情報群Ｂが図６に示される被災情報群Ｂであるとき、データ処理部１７１は、被災情報群Ｂに含まれるビル名「ビルＸ」を抽出し、「ビルＸ」に関連づけられている携帯電話を示す識別子の数（携帯電話１０、１１を示す識別子２つ）を算出する。データ処理部１７１は、ビル識別子毎に算出した携帯電話を示す識別子の数を、各ビルに所在する携帯電話の数と認識し、ビル識別子と対応づけて記憶する。
【００６９】
次に、災害情報処理装置１７のデータ処理部１７１は、各ビルの低層、中層、高層、超高層毎に、どのくらいの携帯電話がいるのか、その数を算出する（Ｓ１９）。
【００７０】
具体的には、まず、データ処理部１７１は、被災情報群Ｂの被災情報毎に（ｉ）（ｉｉ）を実施し、さらに（ｉｉｉ）を実施する。
【００７１】
（ｉ）まず、データ処理部１７１は、被災情報に含まれる高さが、低層、中層、高層、超高層のいずれに該当するのかを求める。具体的には、データ処理部１７１は、階層テーブルから被災情報に含まれる高さが低層、中層、高層、超高層（以下、「各階層」という）のいずれに該当するのかを求める。階層テーブルは、高さと各階層とが関連づけられたテーブルであり、本実施形態の通信システムの設置者によってデータ処理部１７１に設定される。
【００７２】
（ｉｉ）次に、データ処理部１７１は、（Ｉ）で求めた階層（すなわち、低層、中層、高層、超高層）に対応する識別子（以下、「階層識別子」という）を、被災情報と関連づけて記憶する。ここで、階層識別子が関連づけられた被災情報群は、以下、「被災情報群Ｃ」という。図７は、データ処理部１７１に記憶された被災情報群Ｃを示す図である。
【００７３】
（ｉｉｉ）次に、データ処理部１７１は、被災情報群Ｃにおいて、ビル識別子・階層識別子毎に、それに関連づけられている携帯電話を示す識別子の数を算出する。例えば、被災情報群Ｃが図７の場合、データ処理部１７１は、ビル識別子「ビルＸ」・階層識別子「高層」と、ビル識別子「ビルＸ」・階層識別子「低層」それぞれについて、関連づけられている携帯電話を示す識別子の数を算出する。この場合、データ処理部１７１は、「ビルＸ」・「高層」に関連づけられている携帯電話を示す識別子の数は（携帯電話１０を示す識別子の）１つ、「ビルＸ」「低層」に関連づけられている携帯電話を示す識別子の数は（携帯電話１１を示す識別子の）１つと算出する。データ処理部１７１は、ビル識別子・階層識別子毎に算出した携帯電話を示す識別子(以下、「携帯電話識別子」という)の数を、各ビルの各階層に所在する携帯電話の数とし、ビル識別子・階層識別子と対応づけて記憶する。
【００７４】
次に、災害情報処理装置１７のデータ処理部１７１は、各ビルの各階層、すなわち低層、中層、高層、超高層毎に揺れの大きさを算出する（Ｓ２０）。
【００７５】
具体的には、データ処理部１７１は、まず、被災情報群Ｃを読み出し、被災情報群Ｃの被災情報毎に以下の（壱）〜（参）を実施した後、さらに以下の（四）（五）を実施する。
【００７６】
（壱）データ処理部１７１は、被災情報に含まれる加速度情報の加速度のうち、最大の加速度を求める。
【００７７】
（弐）次に、データ処理部１７１は、求めた最大の加速度が所定の揺れの大きさのどれに対応するのかを求める。所定の揺れの大きさは、例えば、大、中、小の３段階に対応する数値であってもよく、加速度と対応づけられて、本実施形態の通信システムの設置者によりデータ処理部１７１に設定される。なお、所定の揺れの大きさは、震度のように７段階に対応する数値であってもよい。
【００７８】
（参）次に、データ処理部１７１は、求めた揺れの大きさを、被災情報と関連づけて記憶する。揺れの大きさが関連づけられた被災情報群は、以下、「被災情報群Ｄ」という。上述の（壱）〜（参）の結果、データ処理部１７１は、図８に示されるような被災情報群Ｄを記憶することができる。
【００７９】
（四）次に、データ処理部１７１は、被災情報群Ｄにおいて、ビル識別子・階層識別子毎に、ビル識別子・階層識別子に関連づけられている揺れの大きさのうち、最大のもの（以下、「最大値」という）を求める。
【００８０】
（五）次に、データ処理部１７１は、ビル識別子・階層識別子毎に求めた最大値を、各ビルの各階層における揺れの大きさとし、ビル識別子・階層識別子と対応づけて記憶する。
【００８１】
次に、災害情報処理装置１７のデータ処理部１７１は、Ｓ１８で記憶した各ビルに所在する携帯電話の数、Ｓ１９で記憶した各ビルの各階層に所在する携帯電話の数、Ｓ２０で記憶した各ビルの各階層における揺れの大きさを通信制御部１７０に出力する（Ｓ２１）。
【００８２】
なお、この際、各ビルに所在する携帯電話の数、各ビルの各階層に所在する携帯電話の数、および各ビルの各階層における揺れの大きさは、図９に示されるように、対応づけられるビル識別子、階層識別子と共に関連づけられて出力される。
【００８３】
ここで、上述の各ビルに所在する携帯電話の数、各ビルの各階層に所在する携帯電話の数、各ビルの各階層における揺れの大きさ、ビル識別子、階層識別子は、以下、「被災地情報」という。
【００８４】
次に、災害情報処理装置１７の通信制御部１７０は、入力された被災地情報を電気信号として救助支援処理装置２０に出力する（Ｓ２２）。
【００８５】
次に、救助支援処理装置２０は、災害情報処理装置１７から入力された電気信号から被災地情報を抽出し、抽出した被災地情報を、支援情報端末２１の通信制御部２１０に消防無線の無線信号として出力する（Ｓ２３）。
【００８６】
支援情報端末２１の通信制御部２１０は、救助支援処理装置２０から入力された無線信号から被災地情報を抽出し、表示手段２１２に出力する（Ｓ２４）。
【００８７】
表示手段２１２は、図９に示されるような被災地情報が入力されると、被災地情報から各階層に所在する携帯電話の数と、それに対応づけられているビル識別子および階層識別子とを全て抽出する（Ｓ２５）。
【００８８】
表示手段２１２は、抽出したビル識別子と階層識別子毎に、各階層に所在する携帯電話の数を表示する（Ｓ２６）。
【００８９】
さらに、支援情報端末２１の表示手段２１２は、被災地情報から揺れの大きさと、それに対応づけられているビル識別子および階層識別子とを全て抽出し、ビル識別子と階層識別子毎に、揺れの大きさを表示する（Ｓ２７）。
【００９０】
なお、表示手段２１２は、ビル識別子や階層識別子に対応するビル名や階層名が本実施形態の通信システムの設置者によって設定されているのであれば、ビル識別子や階層識別子の代わりに、対応するビル名や階層名を表示してもよい。また、支援情報端末２１の表示手段２１２は、ビル識別子毎に、対応するビルに所在する携帯電話の数を表示してもよい。図１０は、支援情報端末２１の表示手段２１２が被災地情報を表示した一例である。
【００９１】
救援従事者は、ビル識別子・階層識別子毎に表示された携帯電話の分布（数）を確認し、ビルの中での被災者の所在を把握する。救援従事者は、ビル識別子・階層識別子に対応するビル・階層に救援にむかう。また、救援従事者は、携帯端末数が多く、揺れの大きさが大きい階層から優先的に救援にむかうこともできる。
【００９２】
［効果の説明］
本実施形態によれば、通信システムは、複数のビルが密集するエリアで救援活動を行う救援従事者に対し、各ビルの携帯電話の分布状況を階層毎に提供することができる。
【００９３】
その理由としては、本実施形態の通信システムが、各携帯電話に対応する識別子と、各携帯電話の所在高度を含む位置情報とを記憶し、記憶する識別子と位置情報を用いて、各ビルの階層毎に携帯電話の数を求め、表示するからである。
【００９４】
その結果、救援従事者は、ビルの中での被災者の所在を短時間で把握し、迅速な救助活動を行うことができる。
【００９５】
さらに、本実施形態の通信システムは、各ビルにおいて階層毎に揺れの大きさも救援従事者に提供するので、救援従事者は、各階層の被害の大きさを想定でき、階層毎に優先度をつけて救援活動を実施することができる。
【００９６】
［第２の実施の形態］
次に、本発明の第２の実施の形態について説明する。本実施形態における通信システムは、各ビルの所在する携帯電話の数を階層ではなく、階数毎に消防・救急組織に提供するシステムである。以下に、本実施形態における通信システムの構成や機能、動作について説明する。
【００９７】
［構成の説明］
図１１は、本発明の第２の実施の形態における通信システムの構成例を示す図である。図１２は、本発明の第２の実施の形態における通信システムに備わる各装置の機能部を示す図である。
【００９８】
本実施形態の通信システムは、図１１に示されるように、携帯電話１０、１１の代わりに携帯電話１００、１０１を備える。また、本実施形態の通信システムは、災害情報処理装置１７、および支援情報端末２１の代わりに、災害情報処理装置３００、および支援情報端末４００を備える。
【００９９】
災害情報処理装置３００は、図１２に示されるように、データ処理部１７１の代わりにデータ処理部３１０を備える。支援情報端末４００は、表示手段２１２の代わりに、表示手段４１２を備える。
【０１００】
携帯電話１００、１０１は、ＩＭＥＳ（Ｉｎｄｏｏｒ  Ｍｅｓｓａｇｉｎｇ  Ｓｙｓｔｅｍ）方式を用いたＧＰＳ機能を備える。携帯電話１００、１０１は、所定のタイミングになると、ＩＭＥＳ方式のＧＰＳ機能によって、経度や緯度と共に、自身がビルの何階にいるのか、階数を測定する。携帯電話１００、１０１は、高さを示す情報として階数を示す識別子を被災情報に含めて出力する。
【０１０１】
災害情報処理装置３００のデータ処理部３１０は、入力された被災情報を基に、各ビルの各階にどのくらいの数の携帯電話がいるのかを算出する。具体的な算出方法は、［動作の説明］に後述する。また、災害情報処理装置３００のデータ処理部３１０は、入力された被災情報を基に、各ビルの各階における揺れの大きさを、各ビルの各階層における揺れの大きさの代わりに算出する。具体的な算出方法は、［動作の説明］に後述する。データ処理部３１０は、各ビルに所在する携帯電話の数、各ビルの各階に所在する携帯電話の数、各ビルの各階における揺れの大きさ、ビル識別子、階数を示す識別子（以下、「階数識別子」という）を、被災地情報として通信制御部１７０に出力する。
【０１０２】
支援情報端末４００の表示手段４１２は、通信制御部２１０から入力された被災地情報から、各階に所在する携帯電話の数と、それに対応づけられているビル識別子および階数識別子とを全て抽出し、ビル識別子と階数識別子毎に、携帯電話の数を表示する。さらに、表示手段２１２は、被災地情報から揺れの大きさと、それに対応づけられているビル識別子および階数識別子とを全て抽出し、ビル識別子と階数識別子毎に、揺れの大きさを表示する。
【０１０３】
なお、上述した以外の構成や機能は、第１の実施の形態における無線通信システムと同じであるので、同一の符号を付して説明を省略する。
【０１０４】
［動作の説明］
図１３は、本発明の第２の実施の形態における通信システムの動作（地震発生前後で共通する動作）を説明する為の図である。図１４は、本発明の第２の実施の形態における通信システムの動作（地震が発生した後の動作）を説明する為の図である。図１５は、本発明の第２の実施の形態における通信システムに備わる災害情報処理装置３００に記憶される被災情報群Ｂの一例を示す図である。
【０１０５】
まず、携帯電話１００、１０１は、図１３に示されるように、上述のＳ５で所定のタイミング２と判定したとき（Ｓ５でＹｅｓの場合）、ＩＭＥＳ方式のＧＰＳ機能によって、経度や緯度と共に、自身がビルの何階にいるのか、階数を測定する（Ｓ２００）。
【０１０６】
次に、携帯電話１００、１０１は、被災情報を基地局１５に出力する際、高さを示す情報として、階数を示す識別子（以下、「階数識別子」という）を被災情報に含めて出力する（Ｓ２０１）。
【０１０７】
次に、地震発生後、災害情報処理装置３００のデータ処理部３１０は、図１４に示されるように、Ｓ１８を実施後、ビルの各階にどのくらいの数の携帯電話がいるのかを算出する（Ｓ２１０）。
【０１０８】
具体的には、まず、災害情報処理装置３００のデータ処理部３１０は、Ｓ１７で生成された被災情報群Ｂを読み出す。ここでの被災情報群Ｂは、図１５に示されるように、高さを示す情報が階数識別子となっている。災害情報処理装置３００のデータ処理部３１０は、被災情報群Ｂを読み出すと、被災情報群Ｂからビル識別子と階数識別子を抽出する。次に、災害情報処理装置３００のデータ処理部３１０は、抽出したビル識別子・階数識別子毎に、それに関連づけられている携帯電話を示す識別子の数を算出する。例えば、被災情報群Ｂが図１５に示される被災情報群Ｂであるとき、データ処理部３１０は、ビル識別子「ビルＸ」・階数識別子「５Ｆ」について、それに関連づけられている携帯電話を示す識別子の数（携帯電話１００、１０１を示す識別子の）２を算出する。災害情報処理装置３００のデータ処理部３１０は、ビル識別子・階数識別子毎に算出した携帯電話を示す識別子の数、すなわち携帯電話識別子の数を、各ビルの各階に所在する携帯電話の数とし、ビル識別子・階数識別子と対応づけて記憶する。
【０１０９】
次に、災害情報処理装置３００のデータ処理部３１０は、各ビルの各階における揺れの大きさを算出する（Ｓ２１１）。
【０１１０】
具体的には、データ処理部３１０は、まず、被災情報群Ｂを読み出し、被災情報群Ｂの被災情報毎に上述の（壱）（弐）（参）を実施し、被災情報群Ｄを記憶した後、さらに以下の（イ）〜（ロ）を実施する。ここでの被災情報群Ｄは、高さを示す情報が階数識別子となっている。
【０１１１】
（イ）データ処理部３１０は、（参）で記憶した被災情報群Ｄにおいて、ビル識別子・階数識別子毎に、ビル識別子・階数識別子に関連づけられている揺れの大きさのうち、最大のもの（以下、「最大値」という）を求める。
【０１１２】
（ロ）次に、データ処理部３１０は、ビル識別子・階数識別子毎に求めた各最大値を、各ビルの各階における揺れの大きさとし、ビル識別子・階数識別子と対応づけて記憶する。
【０１１３】
次に、データ処理部３１０は、各ビルに所在する携帯電話の数と、各ビルの各階に所在する携帯電話の数と、各ビルの各階における揺れの大きさと、ビル識別子と、階数識別子とを対応づけ、被災地情報として通信制御部１７０に出力する（Ｓ２１２）。
【０１１４】
その後、第１の実施の形態における通信システムと同様、Ｓ２２〜Ｓ２４が実施され、被災地情報が支援情報端末４００の表示手段４１２に入力される。
【０１１５】
支援情報端末４００の表示手段４１２は、被災地情報が通信制御部２１０から入力されると、被災地情報から各階に所在する携帯電話の数と、それに対応づけられているビル識別子および階数識別子とを全て抽出する（Ｓ２１３）。
【０１１６】
次に、支援情報端末４００の表示手段４１２は、抽出したビル識別子と階数識別子毎に、各階に所在する携帯電話の数を表示する（Ｓ２１４）。
【０１１７】
さらに、表示手段２１２は、被災地情報から各階における揺れの大きさと、それに対応づけられているビル識別子および階数識別子とを全て抽出し、抽出したビル識別子と階数識別子毎に、揺れの大きさを表示する（Ｓ２１５）。
【０１１８】
救援従事者は、ビル識別子・階数識別子毎に表示された携帯電話の分布（数）を確認し、ビルの中での被災者の所在を把握する。救援従事者は、ビル識別子・階数識別子に対応するビル・階数に救援にむかう。また、救援従事者は、携帯端末数が多く、揺れの大きさが大きい階から優先的に救援にむかうこともできる。
【０１１９】
その他の動作については、第１の実施の形態の動作と同様である為、詳細の説明を省略する。
【０１２０】
［効果の説明］
本実施形態によれば、通信システムは、階層毎ではなく、階数毎に、所在する携帯電話の数の分布や揺れの大きさを救援従事者に提供するので、救援従事者は、詳細に被災者の所在を把握でき、より迅速に救助活動を行うことができる。
【０１２１】
［第３の実施の形態］
次に、本発明の第３の実施の形態について説明する。
【０１２２】
［構成の説明］
図１６は、本発明の第３の実施の形態における通信システムの構成例を示す図である。
【０１２３】
第３の実施の形態における通信システムは、図１６に示されるように、携帯端末１０００、１００１と、コアネットワーク装置１１００と、制御装置１２００と、表示端末１３００を備える。コアネットワーク装置１１００は、携帯端末１０００、１００１と制御装置１２００に接続される。また、制御装置１２００は、表示端末１３００と接続される。
【０１２４】
携帯端末１０００、１００１は、ＧＰＳ（Ｇｌｏｂａｌ  Ｐｏｓｉｔｉｏｎｉｎｇ  Ｓｙｓｔｅｍ）機能を備える。また、携帯端末１０００、１００１は、所定のタイミングになると、ＧＰＳ機能によって自身の所在高度を含む位置情報を測定し、自身に対応する端末識別子と共に、測定した位置情報を出力する。なお、所定のタイミングは、一定間隔毎のタイミングであってもよく、本実施形態の通信システムの管理者によって設定される。
【０１２５】
コアネットワーク装置１１００は、携帯端末１０００、１００１から入力された携帯端末に対応する端末識別子と高度を含む位置情報とを関連づけて記憶する。さらに、コアネットワーク装置１１００は、所定の信号が入力されると、記憶する端末識別子と位置情報を制御装置１２００に出力する。コアネットワーク装置１１００は、記憶する端末識別子と位置情報を一度に制御装置１２００に出力してもよいし、複数回に分けて制御装置１２００に出力してもよい。
【０１２６】
制御装置１２００は、入力された所定の信号を出力する。また、制御装置１２００は、所定時間以内に入力された端末に対応する端末識別子および高度を含む位置情報から所定のビルの所定の高度に所在する端末の数を求め、所定のビル及び所定の高度に対応する識別子と対応づけて出力する。具体的には、制御装置１２００は、端末識別子と、高度を含む位置情報が入力されると、そのタイミングから所定時間経過後に、所定のビルの所定の高度に所在する端末の数を求める。なお、制御装置１２００は、所定時間が経過するまでに、新たな端末識別子と、高度を含む位置情報が入力されると、すでに入力されている端末識別子と高度を含む位置情報と併せて、所定のビルの所定の高度に所在する端末の数を求める。制御装置１２００は、求めた端末の数を、所定のビル及び所定の高度に対応する識別子と対応づけて出力する。上述の所定時間は、本実施形態の通信システムの設置者によって制御装置１２００に設定される。
【０１２７】
表示端末１３００は、所定の場所が押下されると、所定の信号を出力する。また、表示端末１３００は、所定のビル及び所定の高度に対応する識別子と、携帯端末の数とが入力されると、所定のビル及び所定の高度に対応する識別子毎に、携帯端末の数を表示する。
【０１２８】
[動作の説明]
まず、携帯端末１０００、１００１は、それぞれ、所定のタイミングになると、ＧＰＳ機能によって自身の所在高度を含む位置情報を測定し、自身に対応する端末識別子と共に、測定した位置情報を出力する。なお、所定のタイミングは、一定間隔毎のタイミングであってもよく、本実施形態の通信システムの管理者によって設定される。
【０１２９】
次に、コアネットワーク装置１１００は、携帯端末１０００、１００１から入力された携帯端末に対応する端末識別子と高度を含む位置情報とを関連づけて記憶する。
【０１３０】
次に、表示端末１３００は、表示端末１３００のユーザによって所定の場所が押下されると、所定の信号を制御装置１２００に出力する。
【０１３１】
次に、制御装置１２００は、表示端末１３００から入力された所定の信号をコアネットワーク装置１１００に出力する。
【０１３２】
次に、コアネットワーク装置１１００は、所定の信号が制御装置１２００から入力されると、記憶する端末識別子と位置情報を制御装置１２００に出力する。コアネットワーク装置１１００は、記憶する端末識別子と位置情報を一度に制御装置１２００に出力してもよいし、複数回に分けて制御装置１２００に出力してもよい。
【０１３３】
次に、制御装置１２００は、所定時間以内に入力された携帯端末に対応する端末識別子および高度を含む位置情報から所定のビルの所定の高度に所在する携帯端末の数を求め、所定のビル及び所定の高度に対応する識別子と対応づけて出力する。
【０１３４】
具体的には、制御装置１２００は、端末識別子と、高度を含む位置情報が入力されると、そのタイミングから所定時間経過後に、所定のビルの所定の高度に所在する携帯端末の数を求める。なお、制御装置１２００は、所定時間が経過するまでに、新たな端末識別子と、高度を含む位置情報が入力されると、すでに入力されている端末識別子と高度を含む位置情報と併せて、所定のビルの所定の高度に所在する携帯端末の数を求める。制御装置１２００は、求めた携帯端末の数を、所定のビル及び所定の高度に対応する識別子と対応づけて出力する。上述の所定時間は、本実施形態の通信システムの設置者によって制御装置１２００に設定される。本実施形態の通信システムの設置者は、コアネットワーク装置１１００が記憶する端末識別子と位置情報が少なくとも１つ入力されるように上述の所定時間を設定することができる。
【０１３５】
次に、制御装置１２００は、求めた携帯端末の数を、所定のビル及び前記所定の高度に対応する識別子と対応づけて表示端末１３００に出力する。
【０１３６】
次に、表示端末１３００は、制御装置１２００から所定のビル及び所定の高度に対応する識別子と、携帯端末の数とが入力されると、所定のビル及び所定の高度に対応する識別子毎に、携帯端末の数を表示する。
【０１３７】
なお、本実施形態の通信システムに備わる携帯端末は、携帯端末１０００、１００１の２台とは限らない。本実施形態の通信システムに備わる携帯端末は、３台以上であってもよい。さらに、本実施形態の通信システムに備わる制御装置１２００の機能は、コアネットワーク装置１１００に備わってもよい。この場合、表示端末１３００は、所定のビル及び所定の高度に対応する識別子と、その識別子に対応する携帯端末の数がコアネットワーク装置１１００から直接入力される。
【０１３８】
［効果の説明］
本実施形態によれば、通信システムは、複数のビルが密集するエリアで救援活動を行う救援従事者に対し、各ビルの携帯電話の分布状況を所定の高度毎に提供することができる。
【０１３９】
その理由としては、本実施形態の通信システムが、各携帯電話に対応する識別子と、各携帯電話の所在高度を含む位置情報とを記憶し、記憶する識別子と位置情報を用いて、各ビルの所定の高度毎に携帯電話の数を求め、表示するからである。
【０１４０】
その結果、救援従事者は、ビルの中での被災者の所在を短時間で把握し、迅速な救助活動を行うことができる。
【０１４１】
さらに、本実施形態の通信システムは、各ビルにおいて所定の高度毎に揺れの大きさも救援従事者に提供するので、救援従事者は、各所定の高度の被害の大きさを想定でき、所定の高度毎に優先度をつけて救援活動を実施することができる。
【０１４２】
なお、上述した実施の形態は、その形態に限定されるものではなく、実施段階ではその要旨を逸脱しない範囲で種々変更可能である。
【０１４３】
さらに、上記の各実施形態の一部又は全部は、以下の付記のようにも記載されうるが、以下には限られない。
（付記１）
所定時間以内に入力された端末に対応する端末識別子および高度を含む位置情報から所定のビルの所定の高度に所在する前記端末の数を求め、前記所定のビル及び前記所定の高度に対応する識別子と対応づけて出力する、
ことを特徴とする制御装置。
（付記２）
前記所定のビルの前記所定の高度に所在する前記端末の数を求めるために、前記位置情報から対応する前記所定のビルと前記所定の高度を求め、前記所定のビルと前記所定の高度を前記位置情報と前記端末識別子に関連づけ、前記所定のビルの前記所定の高度毎に、関連づいている前記端末識別子の数を算出する、
ことを特徴とする付記１に記載の制御装置。
（付記３）
前記端末における加速度を示す加速度情報が入力されると、前記所定のビルについて、前記所定の高度毎に揺れの大きさを前記加速度情報から求め、出力する、
ことを特徴とする付記１乃至２のいずれか１項に記載の制御装置。
（付記４）
コアネットワーク装置、表示端末、および付記１乃至３のいずれか１項に記載の制御装置を備える通信システムであって、
前記コアネットワーク装置は、携帯端末から入力された前記携帯端末に対応する前記端末識別子と前記高度を含む位置情報とを関連づけて記憶し、所定の信号が入力されると、記憶する前記端末識別子と前記位置情報を前記制御装置に出力し、
前記表示端末は、前記所定のビル及び所定の高度に対応する識別子と、前記携帯端末の数とが前記制御装置から入力されると、前記所定の高度に対応する識別子毎に、前記携帯端末の数を表示する、
ことを特徴とする通信システム。
（付記５）
前記携帯端末は、ＧＰＳ（Ｇｌｏｂａｌ  Ｐｏｓｉｔｉｏｎｉｎｇ  Ｓｙｓｔｅｍ）機能を備え、所定のタイミングになると、前記ＧＰＳ機能によって自身の所在高度を含む位置情報を測定し、自身に対応する端末識別子と共に前記位置情報を出力する、
ことを特徴とする付記４に記載の通信システム。
（付記６）
前記携帯端末は、ＩＭＥＳ（Ｉｎｄｏｏｒ  Ｍｅｓｓａｇｉｎｇ  Ｓｙｓｔｅｍ）方式を用いたＧＰＳ機能を備え、前記ＩＭＥＳ方式を用いたＧＰＳ機能によって自身の所在階数を含む前記位置情報を測定する、
ことを特徴とする付記５に記載の通信システム。
（付記７）
前記携帯端末は、加速度センサを備え、前記加速度センサによって測定された加速度を示す情報、すなわち加速度情報を前記位置情報と共に出力する、
ことを特徴とする付記５乃至６のいずれか１項に記載の通信システム。
（付記８）
前記コアネットワーク装置は、入力された前記加速度情報を前記端末識別子と関連づけて記憶し、前記所定の信号が入力されると、記憶する前記加速度情報を出力する、
ことを特徴とする付記７に記載の通信システム。
（付記９）
端末に対応する識別子と、前記端末の所在高度を含む位置情報とを少なくとも１つ記憶し、所定の信号が入力されると、記憶する前記識別子と前記位置情報を用いて、所定のビルの所定の高度に所在する前記端末の数を求め、前記所定のビル及び前記所定の高度毎に前記端末の数を表示する、
ことを特徴とする情報提供方法。
（付記１０）
前記端末における加速度情報を記憶し、所定の信号が入力されると、記憶する前記識別子、前記位置情報、および前記加速度情報を用いて、所定のビルの所定の高度における揺れの大きさを求め、前記所定のビルの前記所定の高度毎に前記揺れの大きさを表示する、
ことを特徴とする付記９の情報提供方法。
（付記１１）
前記携帯端末は、自身が在圏するセルに対応するセル識別子を前記位置情報と共に出力する、
ことを特徴とする付記５乃至８のいずれか１項に記載の通信システム。
（付記１２）
前記コアネットワーク装置は、セルに対応するセル識別子が入力されると、前記端末識別子や前記位置情報と関連づけて前記セル識別子を記憶し、所定のセルに対応する信号が入力されると、記憶する前記端末識別子と前記位置情報のうち、前記所定のセルに対応する前記セル識別子に関連づけられている前記端末識別子と前記位置情報を出力する、
ことを特徴とする付記１１に記載の通信システム。
（付記１３）
前記表示端末は、前記識別子と前記識別子に対応する揺れの大きさを示す情報が入力されると、前記識別子毎に前記揺れの大きさに表示する、
ことを特徴とする付記４乃至８のいずれか１項、又は付記１１乃至１２のいずれか１項に記載の通信システム。
（付記１４）
前記表示端末は、所定の場所が押下されると、所定の信号を前記制御装置に出力し、
前記制御装置は、入力された前記所定の信号を前記コアネットワーク装置に出力する、
ことを特徴とする付記４乃至８のいずれか１項、又は付記１１乃至１３のいずれか１項に記載の通信システム。
（付記１５）
前記表示端末は、電子地図を表示し、前記電子地図上の前記所定の場所が押下されると、前記所定の場所に対応する所定のセルを示す信号を前記制御装置に出力する、
ことを特徴とする付記１４に記載の通信システム。
【符号の説明】
【０１４４】
１    モバイルネットワーク
２    消防ネットワーク
３    通信キャリアネットワーク
１０    携帯電話
１１    携帯電話
１５    基地局
１６    コアネットワーク装置
１７    災害情報処理装置
２０    救助支援処理装置
１００    携帯電話
１０１    携帯電話
２１    支援情報端末
１７０    通信制御部
１７１    データ処理部
２１０    通信制御部
２１１    データ処理部
２１２    表示手段
３００    災害情報処理装置
３１０    データ処理部
４００    支援情報端末
４１２    表示手段
１０００    携帯端末
１００１    携帯端末
１１００    コアネットワーク装置
１２００    制御装置
１３００    表示端末
【図１】
2014241551.tif 000003
【図２】
2014241551.tif 000004
【図３】
2014241551.tif 000005
【図４】
2014241551.tif 000006
【図５】
2014241551.tif 000007
【図６】
2014241551.tif 000008
【図７】
2014241551.tif 000009
【図８】
2014241551.tif 000010
【図９】
2014241551.tif 000011
【図１０】
2014241551.tif 000012
【図１１】
2014241551.tif 000013
【図１２】
2014241551.tif 000014
【図１３】
2014241551.tif 000015
【図１４】
2014241551.tif 000016
【図１５】
2014241551.tif 000017
【図１６】
2014241551.tif 000018